(57)【要約】【課題】刈払物が回転刃の中央部に巻き込むことを容易に防止できる刈払機を提供する。【解決手段】操作部材に、操作部材の長手方向に沿って巻込み刈払物持ち上げ部材が設けられる。巻込み刈払物持ち上げ部材は、駆動源に設けた操作端部と操作部材の長手方向に沿って双方向移動可能に保持する保持部を有し、ヘッド部材側に移動されたときに、ヘッド部材表面に接触する先端及び先端に対向する側に形成された巻込み刈払物を巻込み状態保持する刈払物保持端を備えた先端部とを備え、刈払保持端に刈払物が巻込み保持された状態となったときに、操作端部が操作部材に沿って駆動源に引き寄せられると、巻込み刈払物持ち上げ部材が刈払物保持端に巻込み保持状態の刈払物を持ち上げてヘッド部材の表面との間に拡大した空隙が形成される。【選択図】図１
2013013386.tif 000002
【特許請求の範囲】
【請求項１】
操作部材と、該操作部材の一端に設けられるヘッド部材と、該操作部材の他端に設けられる駆動源と、前記ヘッド部材の底部に回転可能に接続される回転刃と、該回転刃の底部に設けられる回転刃保護部材とから構成され、前記ヘッド部材は前記操作部材を前記回転刃の上部表面に対して所定の仰角を形成して回転刃に接続するように構成され、前記回転刃は前記駆動源による駆動力により回転駆動される刈払機において、
前記操作部材に、該操作部材の長手方向に沿って巻込み刈払物持ち上げ部材が設けられ、
該巻込み刈払物持ち上げ部材は、操作部本体と前記駆動源側に設けた操作端部とヘッド部材側に移動されたときに、ヘッド部材の回転刃に対向する表面に接触する先端及び該先端に対向する側に形成された巻込み刈払物を巻込み状態に保持する刈払物保持端を備えた先端部とからなる操作部及び該操作部を前記操作部材の長手方向に沿って双方向移動可能に保持する保持部を備え、
前記刈払保持端に刈払物が巻込み保持された状態となったときに、前記操作端部が前記操作部材に沿って前記駆動源に引き寄せられると、前記巻込み刈払物持ち上げ部材が前記刈払物保持端に巻込み保持状態の刈払物を持ち上げて前記ヘッド部材の表面との間に拡大した空隙が形成されること
を特徴とする刈払機。
【請求項２】
請求項１において、前記刈払物保持端は、刃状形状とされたことを特徴とする刈払機。
【請求項３】
請求項１において、前記先端部が、前記ヘッド部材の表面を外方向に向けて横切るように配設されることを特徴とする刈払機。
【請求項４】
請求項１において、前記巻込み刈払物持ち上げ部材は、５ｃｍ以上持ち上げ可能であることを特徴とする刈払機。
【発明の詳細な説明】
【技術分野】
【０００１】
本発明は、雑草等の刈払いに用いる刈払機に関し、特に、刈払機の回転刃の中央部への刈払物の巻込みを防止できる刈払機に関する。
【背景技術】
【０００２】
従来、刈払機は、エンジン等の駆動源による駆動力を伝達する部材を内蔵する操作部材の一端にヘッド部材を取付け、このヘッド部材へ中央に回転軸を有する回転刃を回転可能に取付け、操作部材の他端をエンジンに接続し、エンジンによる駆動力により回転刃を高速回転させる構成となっている。この回転刃には、外周に複数の切刃が設けられており、回転刃を高速回転させて左右に揺り動かすことで雑草等の刈払対象物を容易に刈払うことができる。
【０００３】
また、この刈払機は、操作部材にループハンドル、ツーグリップハンドル又は両手ハンドル等の取っ手を備え、操作部材またはハンドルのグリップにスロットルレバーが設けられる。そして、利用者がハンドルを持って操作部材の上下又は左右の姿勢を調整し、スロットルレバーの操作をすることで、回転刃の回転及び停止を制御できる構成となっている。
【０００４】
このように高速回転する回転刃を有する刈払機に共通する問題として、主に、回転刃にて雑草等を刈り払った際に、この刈払物がヘッド部材、即ち回転刃の中央部に巻込まれて絡まってしまい、回転刃の回転が変動したり停止したりする問題があった。
【０００５】
また、他の問題として、例えば刈払作業中に刈払物対象外のコンクリート等の硬い障害物に誤って回転刃を接触させて破損させてしまったり、回転刃が底面の地面や石等と接触して衝撃や耳障りな接触音を発生してしまったりして、作業性を低下したりする問題があった。また、上述の刈払機は、刈払対象物を刈払う箇所の高さを一定に保ちたい場合に、利用者が地面から回転刃までの高さを常に保持する必要があり、特に刈払対象物が斜面にある場合に利用者に負担となり、長時間の作業が困難となる問題があった。
【０００６】
これら問題を解決するために、種々の提案がなされている。例えば、特許文献１には、回転する草刈り刃を先端に備えた草刈り機に取付けられる草寄せ具であり、草刈り刃により切断された切断草を受止めて草刈り機の揺動刈り取り操作に伴って草寄せするようにし、草寄せ具の本体を草刈り刃の上方において横架する棒状体にて形成した寄せ具本体に凸又は凹状の草掛け部を形成した草刈り機が提案されている。
【０００７】
この発明によれば、草刈り機の草刈り刃によって刈られて飛散される草は草寄せ具にて受止め、切断された草を効率的に一方に寄せることができので、この草寄せ具が障害物となって刈払物の回転刃の中央部への巻込みを防止することができる。
【０００８】
また、上述の他の問題を解決するものとして、特許文献２には、外周に刃部を備えた回転刃が回動自在に支持される支持体を、操作部材を介してエンジンに連結して設けた揺動式草刈機において、回転刃の両側面に支持体を地表面に活動自在に保持するためのそり部を設けた揺動式草刈機が提案されている。
【０００９】
この発明によれば、そり部により回転刃の両側面を保護することができ、かつ地面から回転刃までの高さを一定に保持することができるので、利用者への負担を低減することができる。
【００１０】
更に、特許文献３には、ハンドルシャフトの先端部に回転駆動される刈払刃が回動自在に設けられた刈払機に用いる刈払機用ガイド部の取付構造であって、刈払刃の下面側にガイド部を取り付け、このガイド部を刈払刃が装着される回転軸に対して軸受を介して相対的に回動自在に設ける刈払機用ガイド部の取付構造を刈払機に適用することが提案されている。
【００１１】
この発明によれば、ガイド部を設けたことにより、草刈作業中に刈払刃が地面や石等との接触による衝撃や耳障りな接触音が発生することを低減することができ、かつ回動自在のガイド部を地面に接触させることによって、利用者が刈払刃を左右に滑らかに揺動させて作業をすることができ、利用者への負担を低減することができる。
【先行技術文献】
【特許文献】
【００１２】
【特許文献１】特開２００３−１４３９１９号公報
【特許文献２】実開平０２−１３４８２１号公報
【特許文献３】特開２００８−１８２９６４号公報
【発明の概要】
【発明が解決しようとする課題】
【００１３】
しかしながら、上記の特許文献１あるいは特許文献３に記載の発明では、刈払物の長さがヘッド部材の外周よりも長い場合に、このヘッド部材の外周部即ち回転刃の中央部に刈払物が巻込まれて回転刃の回転が停止する等の不具合が生じる問題が依然としてあった。これにより、巻込まれた刈払物の除去のため作業を一時中止する必要が生じてしまい、作業性が著しく低下してしまう問題があった。また、特許文献１の発明では、雑草等の刈払いの状況に応じて、草寄せ具の着脱を切換える必要があり、これによっても作業性を低下してしまう問題があった。
【００１４】
特許文献３に記載の発明では、そり部を設けているので回転刃の両側面を保護するのに有利であるが、刈払物の巻きつき滞積を防止することはできず、長時間の刈払作業を行うことができない。
【００１５】
本発明の目的は、刈払機の回転刃の中央部への刈払物の巻込み、からみついた時に刈払物を容易に除去できて多量に滞積することを容易に防止できる刈払機を提供することにある。もって、連続した刈払を可能にする。
【００１６】
本発明の目的は、回転刃を外部の障害物から保護することができて利用者が地面から回転刃までの高さを容易に一定に保持できる刈払機を提供することにある。
【課題を解決するための手段】
【００１７】
本発明の刈払機は、操作部材と、該操作部材の一端に設けられるヘッド部材と、該操作部材の他端に設けられる駆動源と、前記ヘッド部材の底部に回転可能に接続される回転刃と、該回転刃の底部に設けられる回転刃保護部材とから構成され、前記ヘッド部材は前記操作部材を前記回転刃の上部表面に対して所定の仰角を形成して回転刃に接続するように構成され、前記回転刃は前記駆動源による駆動力により回転駆動される刈払機において、
前記操作部材に、該操作部材の長手方向に沿って巻込み刈払物持ち上げ部材が設けられ、
該巻込み刈払物持ち上げ部材は、操作部本体と前記駆動源側に設けた操作端部とヘッド部材側に移動されたときに、ヘッド部材の回転刃に対向する表面に接触する先端及び該先端に対向する側に形成された巻込み刈払物を巻込み状態に保持する刈払物保持端を備えた先端部とからなる操作部及び該操作部を前記操作部材の長手方向に沿って双方向移動可能に保持する保持部を備え、
前記刈払保持端に刈払物が巻込み保持された状態となったときに、前記操作端部が前記操作部材に沿って前記駆動源に引き寄せられると、前記巻込み刈払物持ち上げ部材が前記刈払物保持端に巻込み保持状態の刈払物を持ち上げて前記ヘッド部材の表面との間に拡大した空隙が形成されることを特徴としている。
【００１８】
本発明の刈払機は、また、前記刈払物保持端は、刃状形状とされたことを特徴としている。
【００１９】
本発明の刈払機は、また、前記先端部が、前記ヘッド部材の表面を外方向に向けて横切るように配設されることを特徴としている。
【００２０】
本発明の刈払機は、また、前記巻込み刈払物持ち上げ部材は、５ｃｍ以上持ち上げ可能であることを特徴としている。
【発明の効果】
【００２１】
本発明の刈払機は、上述のように構成しているので、刈払物が回転刃の中央部に巻込むことを容易に防止でき、利用者による作業性の低下を防ぐことができる。また、回転刃を外部の障害物から保護することができるため、回転刃の著しい消耗を抑えることができて経済的に用いることができる。
【図面の簡単な説明】
【００２２】
【図１】本発明の実施例である刈払機の外観を示す概略斜視図。
【図２】本発明の実施例である刈払機の概略底面図。
【図３】本発明の実施例である刈払機の縦断面図。
【図４】持ち上げ部材の横断面図。
【図５】持ち上げ部材の先端の構成図。
【図６】持ち上げ部材の機能を説明する図。
【発明を実施するための形態】
【００２３】
以下、本発明の実施例である刈払機を図面に基づいて説明する。但し、本実施例の刈払機に適用する駆動源の構成および操作部材の詳細構成については、従来構成を用いるものとして図示せずに説明する。
【実施例】
【００２４】
図１は、本発明の実施例である刈払機１００について、その外観を示す。また、この刈払機１００の縦断面図、側面図、底面図を図２、図３、図４にそれぞれ示す。
【００２５】
本発明の実施例における刈払機１００は、図１に示すように、操作部材１と、この操作部材１の一端に設けられるヘッド部材２と、操作部材１の他端に設けられる図示しない駆動源と、ヘッド部材２の底部２Ａに回転可能に設けられる回転刃３と、この回転刃３の底部に設けられる回転刃保護部材４とから構成される。２Ｂはヘッド部材２の表面を示し、回転刃３に対向する表面である。
【００２６】
また、ヘッド部材２は、操作部材１を回転刃３の上部表面３Ｂに対して所定の仰角５を形成して回転刃３に接続するように構成され、回転刃３は駆動源による駆動力により回転駆動される構成となっている。
【００２７】
更に、図１に示すように、回転刃保護部材４には、両端にそり部４Ａを有するそり部材４０が設けられており、これらそり部４Ａの一つは、その操作部材側の一端にそり部４Ａの形状に沿った形状で、操作部材側に延び、そり部４Ａよりも回転刃３側に傾斜した突出部５１（図３）が設けられている。そして、この突出部５１の一端とＬ字形状である接続部材５２の一端は結合部５３にて連結されており、更に接続部材５２の他端と操作部材１はヘッド部材２から隔離した位置にある結合部５４にて連結される構成となっている。
【００２８】
なお、接続部材５２は、操作部材１の中心軸に対して平行に設けられる。これにより、利用者は接続部材５２の地面に対する仰角５を目視確認にて調整することにより、そり部材４０の底部４Ｂ即ち接地部を支点として回転刃３の地面に対する仰角５を調整することができる。即ち、刈払対象物の地面から刈払箇所の高さを適宜調整することができる。
【００２９】
なお、これら結合部５３、５４には雌ねじ部若しくは貫通穴５３Ａ、５４Ａがそれぞれ設けられており、雄ねじ等の結合部材を結合部５３、５４に螺号若しくは嵌合させることにより各部材１、５１、５２をそれぞれ締付固定するように構成されている。
【００３０】
上述の刈払機１００の操作部材１と駆動源の構成について、以下詳述する。操作部材１は、棒状に細長い形状をしており、その内部には駆動源からの駆動力を伝えるための駆動軸９が設けられて、駆動源から回転刃３へ駆動力を伝達するように構成されている。
【００３１】
また、操作部材１の中央部付近には、利用者が刈払作業時に回転刃３の挙動を操作するためのＵ字状のハンドルが取付けられ、このハンドルの左右両端部にそれぞれ左グリップ、右グリップが装着される。これにより、利用者は両手でハンドルを持って刈払機を引き回し、操作部材１を介して容易に回転刃３の上下又は左右の姿勢を調整することができる。
【００３２】
また、操作部材１若しくは左右グリップには、後述する駆動源の駆動力を制御できるスロットルレバーが設けられており、このスロットルレバーの操作をすることで駆動力を制御し、回転刃３の回転数を自由に制御できるようになっている。例えば、スロットルレバーの操作により、回転刃３の回転及び停止を容易に切換えることができる。
【００３３】
駆動源としては、操作部材１内に設けられた駆動軸９を介して回転刃３を回転駆動するためのクラッチ式内燃エンジンが操作部材１の他端の取付具を介して取り付けられて構成されている。また、このクラッチ式内燃エンジンの燃料としてはガソリンが用いられ、このため内燃エンジンには燃料タンクが付設されている。
【００３４】
本実施例の刈払機１００の駆動源は、このクラッチ式内燃エンジンが発生する駆動力を駆動軸９に伝達することにより回転刃３を回転駆動するようになっている。なお、本実施例の刈払機１００の駆動源は、回転刃３を高速回転駆動でき、上述の駆動源の駆動力を制御できるスロットルレバーにより回転刃３の回転数をある程度制御できるものであれば、別の駆動源を適用できることは言うまでもない。
【００３５】
次に、ヘッド部材２、回転刃及び駆動機構部１０の構成について、図２を用いて詳述する。ヘッド部材２の内部は中空構造となっており、駆動機構部１０が設けられている。この駆動機構部１０は操作部材１の駆動伝達部と回転刃３間とを接続して回転刃３に駆動力を伝達するように構成されている。
【００３６】
また、ヘッド部材２の底部２Ａは、回転刃３に向けて折れ曲がり形状とされ、回転刃３の上部表面３Ｂと略接するように設けられる。ヘッド部材２の底部２Ａには凹部が形成される。また、ヘッド部材２は、この外壁２Ｄを介して、操作部材１が回転刃３の上部表面３Ｂに対して所定の仰角５を形成するようになっている。この仰角５は、利用者である操作者の操作部材１のハンドルを持つ手の平均的高さ位置、利用者から回転刃３までの距離および操作部材１の長さを検討して、利用者が平均的に利用しやすい角度に設定される。
【００３７】
駆動機構部１０は、回転軸３０が回転刃３の中央に形成されている挿通孔３Ｄに挿通すると共に、回転刃３が挟持部材３１と押付部材３２及び内側ケース３３の間に狭持されて回転軸３０に固定して取付けられている。
【００３８】
また、回転軸３０には、ヘッド部材２の内部に図示しない回転動力伝達部が設けられており、回転軸３０と操作部材１の駆動伝達部とは回転動力伝達部を介して連結されている。この回転動力伝達部は、例えば複数の傘歯車により構成されており、駆動伝達部による駆動力を回転軸３０の回転力、即ち回転刃３の回転力に変換するように構成されている。
【００３９】
また、挟持部材３１は、円板状体であり、中央に形成されている雌ねじ３１Ａが回転軸３０に形成されている雄ねじ３０Ａに螺合することによって回転軸３０と結合されている。内側ケース３３は、下向きの略カップ状体であり、中央に形成されている挿通孔３３Ａに回転軸３０が挿通している。そして、回転軸３０の先端部にはナット３４が螺合されており、このナット３４の締付けによって、内側ケース３３を、押付部材３２を介して回転刃３及び挟持部材３１に押付けて、回転刃３を回転軸３０に固定して取付けている。
【００４０】
また、内側ケース３３は、外周面に軸受３５の内周面が装着されており、その内側には、ナット３４が収容されている。軸受３５としては、例えばラジアル玉軸受のような玉軸受が用いられる。また、挟持部材３１の上部の回転軸３０にも同様に玉軸受である軸受３６が装着される。また、押付部材３２および軸受３５の外周面には、係止部材３７、３８が装着されており、押付部材３２および軸受３５は外側に変位しないように係止されている。
【００４１】
以上により駆動機構部１０が構成されており、回転刃３は、駆動機構部１０の回転軸３０により、挟持部材３１、押付部材３２、内側ケース３３およびナット３４を介して回動自在に構成される。即ち、回転刃３は、駆動機構部１０を介してヘッド部材２の底部２Ａで回動自在に設けられることとなる。
【００４２】
本実施例の刈払機１００に用いる回転刃３は、金属製の円板であり、この円板の外周３Ｃに沿って複数の凸部３Ｅと凹部３Ｆとが交互に形成され、凸部３Ｆには刃３Ｇが形成されている。このような回転刃３は、上記の刃３Ｇを超硬チップへ代えて用いてもよい。
【００４３】
本実施例の刈払機１００に用いる回転刃保護部材４は、図３に示すように、上述の係止部材３８（図２）の外周面に保護部材底部４Ｃが嵌合されて固定されて構成されている。また、保護部材底部４Ｃは、嵌合穴４１、縦突出部４２、横突出部４３および円筒部４４で形成されている。また、嵌合穴４１が上述の係止部材３８の外周面に嵌合接続されて構成される。更に、係止部材３８の底部には、嵌合穴４１の内周面に嵌合するようにして係止蓋３９がねじ締め等によって取付固定される。
【００４４】
また、回転刃保護部材４は、保護部材底部４Ｃの両側の円筒部４４の外周近傍で設けられた横突出部４３の底部にそれぞれ内側そり部材４５を備える。また、このそり部材４５の両端には、回転刃３側に反ったそり部４Ａがそれぞれ設けられている。また更に、横突出部４２の端部、即ち内側そり部材４５の外側にはそれぞれ外側そり部材４０が設けられる。このそり部材４０の両端には、上記のそり部材４５同様に回転刃３側に反ったそり部４Ａがそれぞれ設けられている。なお、そり部４Ａの一つにはその操作側端に、上述の通り突出部５１が設けられている。
【００４５】
また、これら縦突出部４２、外側そり部材４０、内側そり部材４５は、操作部材１の長手方向に延びるようにそれぞれ設けられる。これは、利用者が外側そり部材４０、内側そり部材４５の外方へ向けて抵抗を利用して、操作部材１の押出方向即ち操作部材１の長手方向に滑らかに移動させるためである。
【００４６】
更に、外側そり部材４０、内側そり部材４５には、図２に示すように、回転刃３と所定の高さ間隔６を置いて設けられる。本例の場合、外側そり部材４０は１個設けられるので、最外側そり部材となり、回転保護部材４の両端に設けられた最外側のそり部４Ａは、それぞれ両端の幅寸法７が回転刃の外径３Ｃよりも大きくなるように設けられる。図３に示すように、内側そり部材４５の操作部材側先端部は、回転刃の外径３Ｃよりも内側にあり、反対側先端そり部４Ａは、回転刃の外径３Ｃの外側にある。
【００４７】
以上の構成において、図１において、本例は、操作部材１に取付けられる巻込み刈払物持ち上げ部材（以下、持ち上げ部材という。）１１を備える。このように、持ち上げ部材１１は、操作部材１に接近し、近接した配置となる。この持ち上げ部材１１は、操作部材１の長手方向に沿って操作部材１に固定され、一部の操作部材が可動構成とされる。
【００４８】
持ち上げ部材１１は、操作部１２とこの操作部１２を操作部材１に固定することで保持する保持部１３とから構成される。
【００４９】
操作部１２は、操作部１２の長手方向にほぼ並行して配置され、中央部分の操作部本体１４、ヘッド部材側に位置する先端部１５及び駆動源に位置する操作端部１６から構成される。
【００５０】
先端部１５及び操作端部１６は、操作部本体１４と一体構成にしてもよいし、溶接によって操作部本体１４に取り付けるようにしてもよい。本例の場合、先端部１５は溶接によって取り付け、操作端部１６は一体構成としている。
【００５１】
図４において、保持部１３は、保持部本体１７、保持部本体１７の内部に設けた操作部１２、すなわち操作部本体１４を貫通させ、摺動させる貫通孔部１８、保持部本体１７から双方向に突出し、操作部材１の周囲を周回する止め部１９及び双方向端部に設けたねじによる締結部２０から構成される。
【００５２】
このように止め部１９及び締結部２０構成としているので、操作部材１の適宜任意の位置に固定することができるが、溶接によって固定手段を設けることも可能である。
【００５３】
保持部本体１７は、図１に示すように、操作部材１から見て外方に欠けて切欠部２１を有しており、外方から操作部本体１７の摺動を目視できるようにしてあると共に、保持部１２の重量が軽量化されている。
【００５４】
図４において、貫通孔部１８が上下の垂直方向に配設された状態で、締結部２０のねじ操作によって止め部１９が操作部材１に固定され、保持部１２がしっかりと操作部材１に固定、保持される。
【００５５】
図１において、持ち上げ部材１１の操作部１２は、上述した操作部本体１１、ヘッド部材側の先端部１５及び駆動源側の操作端部１６から構成され、保持部１３は、操作部が操作部材１の長手方向に沿って双方向移動することを可能になるように保持する。
【００５６】
図５に示すように、先端部１５は、操作部本体１１が操作端部１６の操作によってヘッド部材側に移動されたときに、ヘッド部部材表面に接触する先端２１及び先端２１に対向する側に形成された巻込み刈払物を巻込み状態に保持する刈払物保持端２２を備えた本部２４によって構成される。
【００５７】
先端２１は、直線状あるいは曲線状に形成され得るが、ヘッド部材２に一点接触あるいは線接触すれば足りる。先端２１に、ヘッド部材２に当接するゴム部材、ポリエチレン材を取り付けるようにしてもよい。
【００５８】
先端２１、すなわち先端部１５がヘッド部材２の回転刃に対向する表面２Ｂを外方向に向けて横切るように配設されて、表面２Ｂに接触する。実質的に接触する構造であればよい。実質的にとは、刈り取られた雑草が入り込む余地がない程にということである。その角度は、直角方向でもよいが操作部材に向けて、すなわち回転方向に鋭角とするのがよい。
【００５９】
刈払物保持端２２は、直線状あるいは曲線状に形成すれば先分に巻込み刈払物を巻込み状態に保持することができるが、他の形状であってもよく、刃状形状とすることによって巻込み刈払物を切断するのに便利となる。刃状形状の１つとして図５に示すように歯状形状２３とすることができる。
【００６０】
操作部１２に固着手段を設けて刈払時に先端２１をヘッド部材２に接触しておくようにすることができるのが、操作部自体が重量を有している場合には、固着手段を設けなくても先端２１をヘッド部材２に充分に接触させておくことができる。
【００６１】
図６を用いて、本実施例の刈払機１００の作用を説明する。
【００６２】
図６（ａ）に示すように、回転刃３によって刈り取られた刈払物３１は、大部分は刈払機１００外に放出されるが、一部の刈払物３２がヘッド部材２に巻き込まれ、滞積していくことになる。ヘッド部材２の底部２Ａは、上述したように、回転刃３に向けて折れ曲がり形状とされ、表面２Ｂが凹部を呈するように形成されるので、この凹部を中心にして一部の刈払物３２が巻き込まれてからみ、表面２Ｂ上に滞積する。滞積する凹部が形成されていなくてもヘッド部材２の表面２Ｂには刈払物３２が巻き込まれ、からみ、滞積していく。
【００６３】
本実施例の場合、持ち上げ部材１１が操作部材１に近接配置され、ヘッド部材２の回転刃３に対向配置の表面２Ｂに先端が接触可能に移動されるので、この接触状態で雑草の刈払いがなされると、一部の刈払物３２はヘッド部材２に巻き込まれ、からみ、そして滞積していくときに、持ち上げ部材１１の刈払物保持部２２にも巻き込まれ、からみ、そして滞積していくことになる。持ち上げ部１１の先端２１を回転刃３の対向配置の表面２Ｂに接触させているので、ヘッド部材２にからんだ刈払物３２は確実に刈払物保持端２２上に載置された状態でヘッド部材２にからみ、滞積することになる。
【００６４】
刈払物保持部２２に滞積することで巻込み状態で保持された刈払物３２は目視によって確認することができる。これによって刈払物の除去時期が判断されることになる。
【００６５】
目視によって刈払物の巻込み状態が確認されると、利用者である操作者は、持ち上げ部材１１の操作部１３を駆動源側に持ち上げる操作を行う。この場合の持ち上げ量としては３〜１５ｃｍ程度を設定可能で、望ましくは７±３ｃｍ程度の持ち上げ量とする。当然に持ち上げ量は、刈払物３１の性質によって異なってくる。いずれにしても５ｃｍ持ち上げれば充分に効果がある。
【００６６】
図６（ｂ）において、刈払保持端２２に刈払物３２が巻込み保持された状態となったときに、操作部端部１６が操作部材１に沿って駆動源へ引き寄せられると、刈払物保持端２２が、すなわち持ち上げ部材１１が巻込み保持状態の刈払物２２を持ち上げてヘッド部材２の表面との間に拡大した空隙３０を形成する。拡大した空隙３０としたのは、持ち上げ以前の先端２１がヘッド部材２にいずれかの点で接触している状態にあってもほんの少しの空隙がヘッド部材２との間に形成されることになることによる。
【００６７】
持ち上げ部材１１が持ち上げられると、一部の刈払物は刈払物保持端２２が刃状形状であると切断されることになる。切断された刈払物は回転刃外方へと放出される。
【００６８】
刈払物保持端２２が刃状形状でなくても一部の刈払物は切断される。切断されなく持ち上げに抵抗がある場合にあっても、刈払物とヘッド部材２あるいは回転刃３との間には利用者の指が入るほどの空隙が形成し得る。利用者は、この空隙に指を差し込んで刈払物を人力によって切断することができる。当然この場合には、回転刃３の回転を停止状態におく。
【００６９】
巻込み保持状態になるのは刈り取った雑草だけとは限らない。例えば細いビニール紐のようなものがからみつくことがよくある。ビニール紐などは持ち上げ部材１１を持ち上げても切断されることはないが、形成された空隙に図示しない刃物の刃先を差し込んで容易に切断することができる。
【００７０】
このように、雑草の刈払い作業中に滞積した刈払物を順次除去していくことで、刈払作業を継続して長時間継続することができ、従来のように刈払機を停止してからんだ雑草を取り除く作業をしなければならないことが回避される。
【００７１】
本実施例の刈払機は、また、上述したように回転保護部材に回転刃と所定の高さ位置を置いたそり部を備えることにより、利用者が回転刃の高さ位置を安易に保持することができて、特に操作部材の進行方向即ち前後方向に沿って滑らかに回転刃を移動することができるので、障害物のある側溝のような場所であっても利用者による刈払作業を安定して行うことができ、長時間作業による疲労を低減できる。更に、そり部間の両端間の幅寸法を回転刃の外径より大きくしたので、回転刃を外部の硬い障害物への接触による刃の消耗を低減できる。
【００７２】
また、本実施例の刈払機においては、回転刃の底部にそり部を設けることで、上述のように利用者による刈払作業が安定したものとなる。また、刈払物がそり部の保持部材にからみつくことがない。その結果、そり部を備えずに左右に回転刃を揺動させて雑草等を刈払うような刈払機に比べて、より雑草等を容易に根元から刈払うことができて、容易に長さの長い刈払物とすることができる。従って、本実施例の刈払機は、長い刈払物の回転刃の中央部への巻込みを防止できるので、回転刃の底部にそり部を設ける汎用の刈払機に対して特に効果的である。
【００７３】
本発明は、上述のように構成しているので、刈払物が回転刃の中央部に巻込まれ、からみついた時に容易に刈払物を除去することで多量に滞積していくことを防止でき、利用者による作業性の低下を防ぐことができる。また、上述した構成のそり部材構成を併用することで、回転刃を外部の障害物から保護することができるため、回転刃の著しい消耗を抑えることができて、持ち上げ部材との機能との効果によって何１００メートルに亘っての連続した刈払作業を可能にすることになる。
【符号の説明】
【００７４】
１…操作部材、２…ヘッド部材、２Ａ…ヘッド部材の底部、３…回転刃、４…回転刃保護部材、４Ａ…そり部、４Ｃ…底部、５…仰角、６…高さ間隙、７…両端の幅寸法、１０…駆動機構部、１１…持ち上げ部材（巻込み刈払物持ち上げ部材）、１２…操作部、１３…保持部、１４…操作部本体、１５…先端部、１６…操作端部、１７…保持部本体、１８…貫通孔部、１９…止め部、２０…締結部、２１…先端、２２…刈払物保持端、２３…歯状形状、３１，３２…刈払物、４０…そり部材、１００…刈払機。
【図１】
2013013386.tif 000003
【図２】
2013013386.tif 000004
【図３】
2013013386.tif 000005
【図４】
2013013386.tif 000006
【図５】
2013013386.tif 000007
【図６】
2013013386.tif 000008